(57)【要約】      （修正有）【課題】二つの物品のうち一方の物品（例えば被支持物品）に、雄ねじを形成したボルトを含む他方の物品（例えば物品支持脚）を該ボルトで取り付けるにあたり用いるブラケットであって、他方の物品（例えば物品支持脚）のボルト雄ねじのネジサイズに応じて、簡単、安価に提供できるブラケットを提供する。また、その製造方法を提供する。【解決手段】ブラケット２は、一方の物品３に固定する固定部２１１及び他方の物品１のボルト雄ねじ１１１を螺合させるボルト連結部２３を含んでいる。ボルト連結部２３は、ボルト連結部本体２１２に形成された孔（例えば雌ねじ孔２１３）に、ボルト雄ねじ１１１が螺合可能の雌ねじ孔２２１を有するねじ孔付き部材２２を圧入固定して形成する。【選択図】図１６
2012092921.tif 000002
【特許請求の範囲】
【請求項１】
二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットであって、前記ボルト連結部では、ボルト連結部本体に形成された孔に前記ボルト雄ねじが螺合可能の雌ねじ孔を有するねじ孔付き部材が圧入固定されており、前記ねじ孔付き部材の前記ボルト連結部本体の孔への圧入固定は、該ねじ孔付き部材を外周面平滑部材とするとともに前記ボルト連結部本体の孔を雌ねじ孔として該雌ねじ孔のねじを圧潰しつつ前記ねじ孔付き部材を該雌ねじ孔へ圧入するか、又は前記ボルト連結部本体の孔を内周面平滑な孔とするとともに前記ねじ孔付き部材を外周に雄ねじを形成した部材として該ねじ孔付き部材をその雄ねじを圧潰しつつ前記ボルト連結部本体の孔に圧入することでなされていることを特徴とするブラケット。
【請求項２】
前記二つの物品のうち一方の物品は被支持物品であり、前記他方の物品はボルト台座に雄ねじを形成したボルトが立設された、前記被支持物品を支持するための物品支持脚であり、前記ボルト連結部本体の孔に圧入固定された前記ねじ孔付き部材は該物品支持脚のボルト雄ねじを螺合させる部材である請求項１記載のブラケット。
【請求項３】
二つの物品のうち一方の物品に、雄ねじを形成したボルトを含む他方の物品を該ボルトで取り付けるにあたり用いるブラケットであって、前記一方の物品に固定する固定部及び前記他方の物品のボルトの雄ねじを螺合させるボルト連結部を含んでいるブラケットの製造方法であり、
前記固定部と、前記ボルト連結部の本体であって部材圧入固定用孔を有するボルト連結部本体とを一体化した基体を形成する第１工程と、
前記他方の物品のボルト雄ねじを螺合させるねじ孔を有するねじ孔付き部材を形成する第２工程と、
前記ねじ孔付き部材を前記基体のボルト連結部本体の部材圧入固定用孔に圧入固定して前記ボルト連結部を形成する第３工程とを含んでおり、
前記第１工程では、前記ボルト連結部本体の部材圧入固定用孔として雌ネジ孔又は内周面平滑孔を形成し、
前記第２工程では、前記ねじ孔付き部材として、前記ボルト連結部本体の部材圧入固定用孔が雌ネジ孔であるときは外周面平滑なねじ孔付き部材を形成し、前記ボルト連結部本体の部材圧入固定用孔が内周面平滑孔であるときは外周に雄ねじ有するねじ孔付き部材を形成し、
前記第３工程では、外周面平滑な前記ねじ孔付き部材を前記ボルト連結部本体の部材圧入固定用の雌ねじ孔に該雌ねじを圧潰しつつ圧入するか、又は外周に雄ねじを有する前記ねじ孔付き部材を該雄ねじを圧潰しつつ前記ボルト連結部本体の部材圧入固定用の内周面平滑孔に圧入することを特徴とするブラケットの製造方法。
【請求項４】
前記二つの物品のうち一方の物品は被支持物品であり、前記他方の物品はボルト台座に雄ねじを形成したボルトが立設された、前記被支持物品を支持するための物品支持脚であり、前記第３工程において前記ボルト連結部本体の部材圧入固定用孔に圧入される前記ねじ孔付き部材は該物品支持脚のボルト雄ねじを螺合させる部材である請求項３記載のブラケットの製造方法。
【発明の詳細な説明】
【技術分野】
【０００１】
本発明は二つの物品のうち一方の物品に、雄ねじを形成したボルトを含む他方の物品を該ボルトで取り付けるにあたり用いるブラケットであり、特に、前記一方の物品に固定する固定部及び前記他方の物品のボルトの雄ねじを螺合させることができるボルト連結部を含んでいるブラケットに関する。
【背景技術】
【０００２】
このタイプのブラケットは様々の分野で使用されている。例えば、工作機械、コンベア等の各種機械、本、書類等を収納するロッカーや棚類等の各種家具、各種ディスプレイ装置、テレビ、オーディオ装置等の各種電気電子機器などの物品を支持する物品支持脚をそのような被支持物品に取り付けるためのブラケットを挙げることができる。
【０００３】
物品支持脚としては、代表例として、ボルト台座に雄ねじを形成したボルトが立設されたものを挙げることができる。その例として、雄ねじを形成したボルトがボルト台座に回転自在に立設されており、該ボルトの雄ねじ部分を被支持物品に取り付けたブラケットに螺合させ、該ブラケットからのボルト突出量を調整するとともに該ボルト台座を物品支持基体（物品を配置する建物の床、工場等の床など）上に配置することで該物品を該物品支持基体上に高さ調節して支持することができるものを挙げることができる。
【０００４】
この種の物品支持脚の例とそれを被支持物品に取り付けるためのブラケットの例を図１７に示す。図１７に示す物品支持脚１は、雄ねじ１１１を形成したボルト１１及びボルト１１を回転自在に立設したボルト台座１２を含んでいる。ボルト１１のボルト台座１２に隣り合う部位（図示例ではボルト台座１２の直上部位）にボルト回し具係合部１３を設けてある。
【０００５】
ボルト回し具係合部１３は、ボルト１１に後付けされたものでもよいが、図示例ではボルト１１と一体的に形成されており、平面から見ると側周面に互いに平行な面部分を有する多角形（図示例では６角形）のものである。６角形ボルト頭や６角形ナットなどに係合して回し操作できるスパナ型レンチ、回し対象物を掴む顎の間隔を調節できる所謂モンキーレンチ等のボルト回し具（図示省略）をボルト回し具係合部１３に係合させてボルト１１を回し操作できる。
【０００６】
ボルト台座１２はこの例では平面から見た形状が円形であり、碗を伏せた如き形状、構造のものである。ボルト１１はこの例ではボルト回し具係合部１３の下へも若干突出しており、その突出部１１２がボルト台座１２の頂部貫通孔１２１を貫通して台座１２の下面側凹所１２２へ突出している。
【０００７】
突出部１１２に抜け止め部材１４が取り付けられていることで、ボルト１１は台座１２から抜け止めされている。抜け止め部材１４は図示例では突出部１１２に螺合させた６角形ナットであるが、他の抜け止め部材、例えば、所謂Ｃ形等のスナップリング、突出部１１２に螺合する６角形ナット以外の部材などであることもある。
【０００８】
図１７に示すブラケット５は、被支持物品３に固定するフランジ部５１及び物品支持脚１のボルト雄ねじ１１１を螺合させるボルト連結部５２を含んでいる。フランジ部５１は複数のボルト通し孔５１１を有しており、その孔５１１に通したボルト５０で被支持物品３に連結固定されている。
【０００９】
ボルト連結部５２は、物品支持脚１のボルト雄ねじ１１１を螺合させる貫通雌ねじ孔５２１を有している。フランジ部５１にはこの雌ねじ孔に連通するボルト通し孔５１２が形成されている。
【００１０】
物品支持脚１は、図１７に例示するように、被支持物品３にボルト５０で固定されたブラケット５の雌ねじ孔５２１にボルト１１の雄ねじ１１１を螺合させ、ブラケット５からのボルト突出量を調整するとともに、ボルト台座１２を物品支持基体（物品を配置する建物の床、工場等の床など）４上に配置することで物品３を物品支持基体４上に高さ調整して支持することができる。ボルト１１は、必要に応じ、ボルト回し具係合部１３に図示省略のボルト回し具を係合させて回し操作できる。
【００１１】
以上説明した類の物品支持脚は例えば特許第３０３５４７４号公報や特許第３１２９９０５号公報に記載されている。
【００１２】
これら特許公報に記載された物品支持脚ではボルト回し具係合部とボルト台座との間にスラストベアリングが嵌装されている。
【先行技術文献】
【特許文献】
【００１３】
【特許文献１】特許第３０３５４７４号公報
【特許文献２】特許第３１２９９０５号公報
【発明の概要】
【発明が解決しようとする課題】
【００１４】
以上説明したごときブラケットは、求められたときに迅速に提供できるように、想定される物品支持脚の種々のボルト雄ねじサイズに対応できるように準備し、保管しておかなければならない。すなわち、物品支持脚のボルト雄ねじを螺合させるねじ孔のネジサイズが様々である多種類のブラケットをそれぞれ形成し、保管しておかなければならない。そのために、ブラケットの保管費が嵩み、ひいてはそれだけブラケットが高価になる。
【００１５】
また、一つの種類のブラケットの在庫がなくなってくると、そのブラケットの一部ではなく、そのブラケット全体を製作しなければならず、在庫が無くなりつつある、或いは既に無くなったブラケットが求められたとき、そのブラケットを速やかに提供し難い場合がある。
【００１６】
これらのことは、物品支持脚及びそれを被支持物品に連結するためのブラケットに関して生じるだけでなく、一般的に言えば、二つの物品のうち一方の物品に、雄ねじを形成したボルトを含む他方の物品を該ボルトで取り付けるにあたり用いるブラケットであって、前記一方の物品に固定する固定部及び前記他方の物品のボルトの雄ねじを螺合させるボルト連結部を含んでいるブラケットについて生じる。
【００１７】
そこで本発明は、二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットであって、前記他方の物品のボルト雄ねじのネジサイズに応じて、簡単、安価に提供できるブラケットを提供することを課題とする。
【００１８】
また本発明は、二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットの製造方法であって、前記他方の物品のボルト雄ねじのネジサイズに適合したブラケットを、簡単、安価に製造できるブラケットの製造方法を提供することを課題とする。
【課題を解決するための手段】
【００１９】
前記課題を解決するため本発明は次のブラケット及びその製造方法を提供する。
（１）ブラケット
二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットであって、前記ボルト連結部では、ボルト連結部本体に形成された孔に前記ボルト雄ねじが螺合可能の雌ねじ孔を有するねじ孔付き部材が圧入固定されており、前記ねじ孔付き部材の前記ボルト連結部本体の孔への圧入固定は、該ねじ孔付き部材を外周面平滑部材とするとともに前記ボルト連結部本体の孔を雌ねじ孔として該雌ねじ孔のねじを圧潰しつつ前記ねじ孔付き部材を該雌ねじ孔へ圧入するか、又は前記ボルト連結部本体の孔を内周面平滑な孔とするとともに前記ねじ孔付き部材を外周に雄ねじを形成した部材として該ねじ孔付き部材をその雄ねじを圧潰しつつ前記ボルト連結部本体の孔に圧入することでなされているブラケットを提供する。
【００２０】
（２）ブラケットの製造方法
二つの物品のうち一方の物品に、雄ねじを形成したボルトを含む他方の物品を該ボルトで取り付けるにあたり用いるブラケットであって、前記一方の物品に固定する固定部及び前記他方の物品のボルトの雄ねじを螺合させるボルト連結部を含んでいるブラケットの製造方法であり、
前記固定部と、前記ボルト連結部の本体であって部材圧入固定用孔を有するボルト連結部本体とを一体化した基体を形成する第１工程と、
前記他方の物品のボルト雄ねじを螺合させるねじ孔を有するねじ孔付き部材を形成する第２工程と、
前記ねじ孔付き部材を前記基体のボルト連結部本体の部材圧入固定用孔に圧入固定して前記ボルト連結部を形成する第３工程とを含んでおり、
前記第１工程では、前記ボルト連結部本体の部材圧入固定用孔として雌ネジ孔又は内周面平滑孔を形成し、
前記第２工程では、前記ねじ孔付き部材として、前記ボルト連結部本体の部材圧入固定用孔が雌ネジ孔であるときは外周面平滑なねじ孔付き部材を形成し、前記ボルト連結部本体の部材圧入固定用孔が内周面平滑孔であるときは外周に雄ねじ有するねじ孔付き部材を形成し、
前記第３工程では、外周面平滑な前記ねじ孔付き部材を前記ボルト連結部本体の部材圧入固定用の雌ねじ孔に該雌ねじを圧潰しつつ圧入するか、又は外周に雄ねじを有する前記ねじ孔付き部材を該雄ねじを圧潰しつつ前記ボルト連結部本体の部材圧入固定用の内周面平滑孔に圧入するブラケットの製造方法。
【００２１】
本発明に係るブラケットは、前記一方の物品に固定する固定部及び前記他方の物品のボルトの雄ねじを螺合させるボルト連結部を含んでいるブラケットであって、そのボルト連結部はボルト連結部本体に形成された孔に前記ねじ孔付き部材が圧入固定されているものである。
【００２２】
ここで「ボルト連結部本体に形成された孔」は「雌ネジ孔」又は「内周面平滑な孔」であり、この孔に圧入固定されるねじ孔付き部材は外周面平滑又は外周に雄ねじを有する部材であるが、いずれにしても、本発明に係るブラケットは次のように簡単、容易に提供できる。
【００２３】
例えば、基本的には本発明に係るブラケットの製造方法に従って、次のように簡単、容易に製造、提供できる。
すなわち、例えば、固定部と、前記ねじ孔付き部材圧入固定用の孔を有するボルト連結部本体とを含む基体を予め複数個形成しておく一方（本発明方法の第１工程に基づく工程）、前記ねじ孔付き部材としてねじ孔の雌ネジサイズが種々異なる多種類のねじ孔付き部材を予め形成しておくことで（本発明方法の第２工程に基づく工程）、前記他方の物品のボルト雄ねじの様々なサイズごとに、それに適合可能なねじ付き部材を選択し、該選択したねじ孔付き部材を前記ボルト連結部本体の孔に圧入固定して（本発明方法の第３工程に基づく工程）、簡単、容易に、前記他方の物品のボルト雄ねじに適合するブラケットを提供できる。
【００２４】
さらに説明すると、例えば、前記基体の形成にあたっては、前記ボルト連結部本体の、前記ねじ孔付き部材圧入固定用の孔が同一である同じ基体を安価に多数個形成しておくことができる。また、前記ねじ孔付き部材としてねじ孔の雌ネジサイズが種々異なる、しかし部材外周に関しては同一である多種類のねじ孔付き部材を、ブラケット全体を作る場合と比べると簡単、安価に予め形成しておくことができる。
【００２５】
そして、前記他方の物品のボルト雄ねじの様々なサイズに応じて、そのボルト雄ねじに適合可能なねじ付き部材を選択し、該選択したねじ孔付き部材を前記ボルト連結部本体の孔に圧入固定して、簡単、容易に、安価に、前記他方の物品のボルト雄ねじに適合するブラケットを提供できる。
【００２６】
また、例えば、前記基体についても前記ねじ孔付き部材圧入固定用の孔がサイズ等の点で種々異なる基体を、それぞれの基体について安価に多数個形成しておく一方、それぞれの孔サイズの基体ごとに、ねじ孔の雌ネジサイズが種々異なる、しかし部材外周に関してはサイズ等の点で同一である多種類のねじ孔付き部材を予め形成しておくことで、より一層、前記他方の物品の多種類のボルト雄ねじサイズに応じて、そのボルト雄ねじに適合可能なねじ孔付き部材及びその部材を圧入固定可能の孔を有する基体を選択し、簡単、容易に、そして多種類のボルト雄ねじサイズに対応できる割りには安価に、前記他方の物品のボルト雄ねじに適合するブラケットを提供できる。
【００２７】
このように本発明に係るブラケットは、前記他方の物品のボルト雄ねじのネジサイズに応じて、簡単、安価に提供できるものであり、本発明に係るブラケット製造方法によると、前記他方の物品のボルト雄ねじのネジサイズに適合したブラケットを、簡単、安価に製造できる。また、これらにより、前記他方の物品のボルト雄ねじのネジサイズに適合するブラケットを迅速に製作、提供でき、それによりブラケット不足が発生することを抑制できる。
【発明の効果】
【００２８】
以上説明したように本発明によると、二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットであって、前記他方の物品のボルト雄ねじのネジサイズに応じて、簡単、安価に提供できるブラケットを提供することができる。
【００２９】
また本発明によると、二つの物品のうち一方の物品に、雄ねじを形成したボルトを含む他方の物品を該ボルトで取り付けるにあたり用いるブラケットであり、前記一方の物品に固定する固定部及び前記他方の物品のボルトの雄ねじを螺合させるボルト連結部を含んでいるブラケットの製造方法であって、前記他方の物品のボルト雄ねじのネジサイズに適合したブラケットを、簡単、安価に製造できるブラケットの製造方法を提供することができる。
【図面の簡単な説明】
【００３０】
【図１】本発明に係るブラケットの１例の正面図である。
【図２】図１に示すブラケットの背面図である。
【図３】図１に示すブラケットの平面図である。
【図４】図１に示すブラケットの底面図である。
【図５】図１に示すブラケットの右側面図である。
【図６】ブラケット基体の正面図である。
【図７】ブラケット基体の背面図である。
【図８】ブラケット基体の平面図である。
【図９】ブラケット基体の底面図である。
【図１０】ブラケット基体の右側面図である。
【図１１】ねじ孔付き部材の正面図である。
【図１２】ねじ孔付き部材の背面図である。
【図１３】ねじ孔付き部材の平面図である。
【図１４】ねじ孔付き部材の底面図である。
【図１５】ねじ孔付き部材の右側面図である。
【図１６】図１に示すブラケットの使用状態例を示す図である。
【図１７】従来のブラケット例とその使用状態例を示す図である。
【発明を実施するための形態】
【００３１】
以下図面を参照して本発明に係るブラッケットの例について説明する。
図１〜図５は本発明に係るブラケットの１例の正面図、背面図、平面図、底面図及び右側面図である。左側面図は示していないが、右側面図と対称にあらわれる。
【００３２】
これらの図に示されるブラケット２は、一般的に言えば、二つの物品のうち一方の物品に、雄ねじを形成したボルトを含む他方の物品を該ボルトで取り付けるにあたり用いるブラケットであって、一方の物品に固定する固定部２１及び他方の物品のボルトの雄ねじを螺合させるボルト連結部２３を含んでいる。
【００３３】
このブラケット２は、例えば図１６に示すような物品支持脚１で支持して用いることがある被支持物品３（それとは限定されないが、例えば工作機械、ベルトコンベア等）に物品支持脚１を取り付けるために用いることができるものである。物品支持脚１の構造等及びブラケット２の使用例については後ほど説明する。
【００３４】
ブラケット２は、図６〜図１０に示すブラケット基体２１を形成、準備しておく一方、  図１１〜図１５に示すねじ孔付き部材２２を形成、準備しておき、ねじ孔付き部材２２を基体２１のねじ孔付き部材圧入固定用の孔２１３に圧入固定することで簡単、容易に製作される。
【００３５】
ブラケット基体２１は、被支持物品に固定可能の固定部２１１及びこれと一体的に形成されたボルト連結部本体２１２とからなっている。
固定部２１１は全体的に四角板状の形状を呈しており、被支持物品にこれをボルト固定するためのボルト通し孔２１１ａを有している。
【００３６】
ボルト連結部本体２１２は固定部２１１の一端部からそれに垂直な方向に突出するように形成されている。ボルト連結部本体２１２にはねじ孔付き部材圧入固定用の孔２１３が形成されている。ここでは、ねじ孔付き部材圧入固定用の孔２１３は雌ねじ孔である。
【００３７】
一方、ねじ孔付き部材２２は、一般的に言えば、前記他方の物品のボルトの雄ねじを螺合させる雌ねじ孔を形成した円筒状の部材である。ここでは、図６〜図１０に示すように、中心部に、物品支持脚１のボルト１１の雄ねじ１１１（図１６参照）を螺合させることができる雌ねじ孔２２１を形成した外周面平滑な円筒状部材であり、片方の端部にフランジ２２２が一体的に形成されている。
【００３８】
このねじ孔付き部材２２のフランジ２２２を除く断面円形部分の外径は、その部分をブラケット基体２１のボルト連結部本体２１２の部材圧入固定用の雌ねじ孔２１３にその雌ねじを圧潰しつつ圧入固定できる外径であり、ここでは、１例として雌ねじ孔２１３の雌ねじ有効径と同一又は略同一の外径を採用している。
【００３９】
以上のように形成、準備されるブラケット基体２１のボルト連結部本体２１２の部材圧入固定用の雌ねじ孔２１３にその雌ねじを圧潰しつつねじ孔付き部材２２をそのフランジ２２２がボルト連結部本体２１２に略当接するまで圧入固定することでボルト連結部２３を形成して、図１〜図５に示すブラケット２を得ることができる。フランジ２２２とは反対側の端部２２３（図では、ボルト連結部本体２１２から上方へ突出した端部２２３）の周縁部の全部又は一部をかしめ処理して、一層、部材２２が孔２１３から抜け難くしてもよい。
【００４０】
図示例では、ボルト連結部本体２１２の孔２１３を雌ねじ孔とし、ねじ孔付き部材２２の外周面を平滑に形成しているが、ボルト連結部本体の孔２１３を内周面平滑な孔とし、ねじ孔付き部材２２の外周に雄ねじを形成し、ねじ孔付き部材２２をその外周雄ねじを圧潰しつつ孔２１３に圧入固定するようにしてもよい。そのとき、孔２１３の内径を部材２２の雄ねじの有効径と同一又は略同一とする例を挙げることができる。
【００４１】
このブラケット２は、例えば図１６に示すように被支持物品３を物品支持脚１で高さ調整して支持するために該物品支持脚１を被支持物品３に取り付けることに利用できる。
図１６に示す物品支持脚１は図１７に示す物品支持脚１と同じものであり、図１７の支持脚１と同じ部品、部分には図１７と同じ参照符号を付してある。
【００４２】
なお、物品支持脚１においては、図示していないが、ボルト回し具係合部１３とボルト台座１２との間にスラストベアリングを嵌装してもよい。また、ボルト台座１２の下面側凹所１２２へ突出しているボルト部分１２１には、抜け止め部材１４として例えば雌ねじ部材をその雄ねじを圧潰しつつ圧入固定するなどしてもよい。
【００４３】
ブラケット２を用いて物品支持脚１を被支持物品３に取り付けるにあたっては、被支持物品３の、物品支持脚１を取り付けようとする部位に、ブラッケト２の固定部２１１を、ボルト孔２１１ａに通したボルト２１０で固定する一方、ブラケット２のボルト連結部２３におけるねじ孔付き部材２２の雌ねじ孔２２１に物品支持脚１のボルト雄ねじ１１１を螺合させる。そのボルト１１のブラケット２からの突出量を調整してボルト台座４を物品支持基体４に配置することで、物品３を高さ調整して物品支持基体４上に設置することができる。勿論、物品支持脚１は複数のブラケット２を使って必要に応じた個数を取り付けることができる。
【００４４】
以上説明したブラケット２は、ブラケット基体２１を予め複数個形成しておく一方、ねじ孔付き部材２２としてねじ孔２２１の雌ネジサイズが種々異なる多種類のねじ孔付き部材２２を予め形成しておくことで、物品支持脚１のボルト雄ねじ１１１の様々なサイズごとに、それに適合可能なねじ付き部材２２を選択し、該選択したねじ孔付き部材２２をボルト連結部本体２１２の雌ねじ孔２１３に圧入固定して、簡単、容易に、物品支持脚１のボルト雄ねじ１１１に適合するブラケット２を提供できる。
【００４５】
さらに説明すると、例えば、ブラケット基体２１の形成にあたっては、ボルト連結部本体２１２の雌ねじ孔２１３が同じである同じ基体２を安価に多数個形成しておくことができる。また、ねじ孔付き部材２２としてねじ孔２２１の雌ネジサイズが種々異なる、しかし部材外周に関しては外径同一の多種類のねじ孔付き部材２２を、従来のようにブラケット全体を作る場合と比べると簡単、安価に予め形成しておくことができる。
【００４６】
そして、物品支持脚１のボルト雄ねじ１１１の様々なサイズに応じて、そのボルト雄ねじ１１１に適合可能なねじ付き部材２２を選択し、該選択したねじ孔付き部材２２をボルト連結部本体２１２の雌ねじ孔２１３に圧入固定して、簡単、容易に、安価に、物品支持脚１のボルト雄ねじ１１１に適合するブラケット２を提供できる。
【００４７】
また、例えば、ブラケット基体２１についてもねじ孔付き部材圧入固定用の雌ねじ孔２１３がサイズ等の点で種々異なる基体を、それぞれの基体２１について安価に多数個形成しておく一方、それぞれの孔サイズの基体２１ごとに、ねじ孔２２１の雌ネジサイズが種々異なる、しかし部材外径については同一である多種類のねじ孔付き部材２２を予め形成しておくことで、より一層、物品支持脚１の多種類のボルト雄ねじ１１１サイズに応じて、そのボルト雄ねじサイズごとに適合可能なねじ孔付き部材２２及びその部材２２を圧入固定可能の雌ねじ孔２１３を有する基体２１を選択し、簡単、容易に、そして多種類のボルト雄ねじサイズに対応できる割りには安価に、物品支持脚１のボルト雄ねじ１１１に適合するブラケット２を提供できる。
【００４８】
このようにブラケット２は、他方の物品（ここでは物品支持脚１）のボルト雄ねじのネジサイズに応じて、簡単、安価に提供できるものであり、また、簡単、安価に製造できる。また、これらにより、前記他方の物品のボルト雄ねじのネジサイズに適合するブラケットを迅速に製作、提供でき、それによりブラケット不足が発生することを抑制できる。
【００４９】
以上、物品支持脚１を被支持物品３へ取り付けるときにブラケット２を利用する例を示したが、ブラケット２を含め、本発明に係るブラケットは、例えば重量物にキャスタを、該キャスタに設けられた取り付け用ボルトで取り付ける場合など、様々に利用することができる。
【産業上の利用可能性】
【００５０】
本発明は、二つの物品のうち一方の物品に、雄ねじを形成したボルトを含む他方の物品を該ボルトで取り付けるにあたり用いるブラケットを、他方の物品のボルト雄ねじのネジサイズに応じて、簡単、安価に提供することに利用できる。
【符号の説明】
【００５１】
１  物品支持脚
１１  ボルト
１１１  ボルト雄ねじ
１２  ボルト台座
１３  ボルト回し具係合部
１４  抜け止め部材
２  ブラケット
２１  ブラケット基体
２１１  固定部
２１１ａ  ボルト通し孔
２１２  ボルト連結部本体
２１３  雌ねじ孔
２２  ねじ孔付き部材
２２１  雌ねじ孔
２２２  フランジ
２３  ボルト連結部
２１０  ボルト
３  被支持物品
４  物品支持基体
５  従来ブラケット
５１  フランジ部
５１１  ボルト通し孔
５０  ボルト
５２  ボルト連結部
５２１  雌ねじ孔
５１２  ボルト通し孔
【図１】
2012092921.tif 000003
【図２】
2012092921.tif 000004
【図３】
2012092921.tif 000005
【図４】
2012092921.tif 000006
【図５】
2012092921.tif 000007
【図６】
2012092921.tif 000008
【図７】
2012092921.tif 000009
【図８】
2012092921.tif 000010
【図９】
2012092921.tif 000011
【図１０】
2012092921.tif 000012
【図１１】
2012092921.tif 000013
【図１２】
2012092921.tif 000014
【図１３】
2012092921.tif 000015
【図１４】
2012092921.tif 000016
【図１５】
2012092921.tif 000017
【図１６】
2012092921.tif 000018
【図１７】
2012092921.tif 000019